(57)【要約】  医療器具としての両頭針組立体は、先端針先と基端針先とを有する両頭針と、シリンジの口部に装着され、その状態で口部を液密に封止し、基端針先で刺通可能な刺通部を有し、両頭針をその軸方向に沿って移動可能に支持する支持部材と、両頭針に対し固定され、その状態で先端針先を覆うとともに、両頭針を移動操作するカバー部材とを備え、初期状態では、両頭針は、先端針先がカバー部材に覆われ、基端針先が刺通部に対し未刺通状態となっており、初期状態からカバー部材を両頭針ごと基端方向に移動操作した状態では、両頭針は、基端針先が刺通部を刺通し、カバー部材は、両頭針に対する固定が解除され、両頭針からの離脱が可能となる。
2011108575.tif 000002
【特許請求の範囲】
【請求項１】
先端部に液体が通過する口部を有する液体注入具と、該液体注入具の前記口部に装着される両頭針組立体とを備える医療器具であって、
前記両頭針組立体は、両端にそれぞれ鋭利な針先を有する針管と、該針管を支持するハブとを有する両頭針と、
前記口部に装着され、その装着された状態で前記口部を液密に封止し、前記針管の基端側の前記針先で刺通可能な刺通部を有し、前記両頭針をその軸方向に沿って移動可能に支持する支持部材と、
前記両頭針に対し固定される固定部を有し、該固定部が固定された状態で前記針管の先端側の前記針先を覆うとともに、前記両頭針をその軸方向に沿って移動操作するカバー部材とを備え、
初期状態では、前記両頭針は、前記針管の先端側の前記針先が前記カバー部材に覆われ、前記針管の基端側の前記針先が前記刺通部に対し未刺通状態となっており、
前記初期状態から前記カバー部材を前記両頭針ごと基端方向に移動操作した使用可能状態になるまでの間に、前記両頭針は、前記針管の基端側の前記針先が前記刺通部を刺通して、前記針管と前記液体注入具とが連通し、前記カバー部材は、前記固定部の前記両頭針に対する固定が解除され、該両頭針からの離脱が可能となることを特徴とする医療器具。
【請求項２】
前記針管と前記液体注入具との連通は、前記カバー部材の前記両頭針に対する固定の解除と同じタイミングまたはそれよりも早いタイミングでなされる請求項１に記載の医療器具。
【請求項３】
前記ハブは、筒体で構成され、
前記カバー部材は、前記ハブの外側に配置された筒体で構成され、その内周部に突出形成された、前記固定部として機能する固定用突部を有し、
前記固定用突部は、前記初期状態で前記ハブの側壁に係合し、これにより、前記両頭針に対し固定され、前記使用可能状態で前記液体注入具の一部に外側に向かって押圧されて、前記ハブの側壁から離間し、これにより、該ハブの側壁との係合が解除される請求項１に記載の医療器具。
【請求項４】
前記カバー部材の側壁は、先端が片持支持され、周方向に沿って配置された複数の小片と、隣接する前記小片の基端部同士を連結する連結部とで構成されており、該連結部に前記固定用突部が配置されている請求項３に記載の医療器具。
【請求項５】
前記両頭針の前記初期状態および前記使用可能状態のそれぞれでの前記支持部材に対する前記軸方向の位置を規定する位置決め手段を備える請求項１に記載の医療器具。
【請求項６】
前記ハブは、筒体で構成され、
前記支持部材は、前記ハブの内側に配置された筒体で構成されており、
前記位置決め手段は、前記ハブおよび前記支持部材のうちの一方の側壁に突出した位置決め用突部と、他方の側壁に設けられ、前記初期状態で位置決め用突部が係合する第１の係合部と、前記第１の係合よりも基端側に設けられ、前記使用可能状態で前記位置決め用突部が係合する第２の係合部とで構成されている請求項５に記載の医療器具。
【発明の詳細な説明】
【技術分野】
【０００１】
本発明は、医療器具に関する。
【背景技術】
【０００２】
従来から、例えばヘパリン溶液等の液体が予め充填されたプレフィルドシリンジが知られている（例えば、特許文献１参照）。特許文献１に記載のプレフィルドシリンジは、前記液体が排出される口部を有するシリンジ外筒と、シリンジ外筒の口部を液密に封止するキャップとを備えている。このプレフィルドシリンジを使用するときには、まず、シリンジ外筒の口部からキャップを取り外し、次いで、当該キャップが外された口部に、例えば注射針を接続して使用することができる。【０００３】
しかしながら、特許文献１に記載のプレフィルドシリンジでは、キャップは、シリンジ外筒の口部に単に嵌合により装着されているのみであるため、先端方向に引張りさえすれば、当該口部から容易に離脱してしまう。このため、このプレフィルドシリンジを使おうとしていなくとも、キャップに対しある程度の大きさの力が先端方向へ作用した場合には、当該キャップが不本意に離脱してしまい、当該プレフィルドシリンジが不本意に使用可能な状態となるという問題があった。このような状態のプレフィルドシリンジは、即座に使わざるを得ない、または、破棄せざるを得なかった。【０００４】
【特許文献１】特開２００７−８４５７９号公報
【発明の開示】
【０００５】
本発明の目的は、両頭針を覆っているカバー部材が当該両頭針から不本意に離脱するのを確実に防止することができる医療器具を提供することにある。
【０００６】
上記目的を達成するために、本発明は、
先端部に液体が通過する口部を有する液体注入具と、該液体注入具の前記口部に装着される両頭針組立体とを備える医療器具であって、
前記両頭針組立体は、両端にそれぞれ鋭利な針先を有する針管と、該針管を支持するハブとを有する両頭針と、
前記口部に装着され、その装着された状態で前記口部を液密に封止し、前記針管の基端側の前記針先で刺通可能な刺通部を有し、前記両頭針をその軸方向に沿って移動可能に支持する支持部材と、
前記両頭針に対し固定される固定部を有し、該固定部が固定された状態で前記針管の先端側の前記針先を覆うとともに、前記両頭針をその軸方向に沿って移動操作するカバー部材とを備え、
初期状態では、前記両頭針は、前記針管の先端側の前記針先が前記カバー部材に覆われ、前記針管の基端側の前記針先が前記刺通部に対し未刺通状態となっており、
前記初期状態から前記カバー部材を前記両頭針ごと基端方向に移動操作した使用可能状態になるまでの間に、前記両頭針は、前記針管の基端側の前記針先が前記刺通部を刺通して、前記針管と前記液体注入具とが連通し、前記カバー部材は、前記固定部の前記両頭針に対する固定が解除され、該両頭針からの離脱が可能となることを特徴とする医療器具である。
【０００７】
また、本発明の医療器具では、前記針管と前記液体注入具との連通は、前記カバー部材の前記両頭針に対する固定の解除と同じタイミングまたはそれよりも早いタイミングでなされるのが好ましい。
【０００８】
また、本発明の医療器具では、前記ハブは、筒体で構成され、
前記カバー部材は、前記ハブの外側に配置された筒体で構成され、その内周部に突出形成された、前記固定部として機能する固定用突部を有し、
前記固定用突部は、前記初期状態で前記ハブの側壁に係合し、これにより、前記両頭針に対し固定され、前記使用可能状態で前記液体注入具の一部に外側に向かって押圧されて、前記ハブの側壁から離間し、これにより、該ハブの側壁との係合が解除されるのが好ましい。
【０００９】
また、本発明の医療器具では、前記カバー部材の側壁は、先端が片持支持され、周方向に沿って配置された複数の小片と、隣接する前記小片の基端部同士を連結する連結部とで構成されており、該連結部に前記固定用突部が配置されているのが好ましい。
【００１０】
また、本発明の医療器具では、前記両頭針の前記初期状態および前記使用可能状態のそれぞれでの前記支持部材に対する前記軸方向の位置を規定する位置決め手段を備えるのが好ましい。
【００１１】
また、本発明の医療器具では、前記ハブは、筒体で構成され、
前記支持部材は、前記ハブの内側に配置された筒体で構成されており、
前記位置決め手段は、前記ハブおよび前記支持部材のうちの一方の側壁に突出した位置決め用突部と、他方の側壁に設けられ、前記初期状態で位置決め用突部が係合する第１の係合部と、前記第１の係合よりも基端側に設けられ、前記使用可能状態で前記位置決め用突部が係合する第２の係合部とで構成されているのが好ましい。
【００１２】
また、本発明の医療器具では、前記針管の基端側の前記針先の前記刺通部を刺通するまでの距離は、前記固定部の固定が解除されるまでの距離と同じかまたはそれよりも短いのが好ましい。
【００１３】
また、本発明の医療器具では、前記固定用突部は、その基端部が内側に向かって傾斜しているのが好ましい。
【００１４】
また、本発明の医療器具では、前記他方の側壁には、前記第１の係合部と前記第２の係合部との間に、傾斜角度が基端方向に向かって増大する傾斜部が形成されているのが好ましい。
【００１５】
また、本発明の医療器具では、前記刺通部は、板状をなす弾性体で構成されているのが好ましい。
【００１６】
また、本発明の医療器具では、前記液体注入具は、シリンジであるのが好ましい。
【図面の簡単な説明】
【００１７】
【図１】図１は、本発明の医療器具の操作過程を順に示す縦断面図である。
【図２】図２は、本発明の医療器具の操作過程を順に示す縦断面図である。
【図３】図３は、本発明の医療器具の操作過程を順に示す縦断面図である。
【図４】図４は、本発明の医療器具の操作過程を順に示す縦断面図である。
【図５】図５は、本発明の医療器具が備えるカバー部材および両頭針を示す斜視図である。
【図６】図６は、図５に示すカバー部材および両頭針の縦断面斜視図である。
【発明を実施するための最良の形態】
【００１８】
以下、本発明の医療器具を添付図面に示す好適な実施形態に基づいて詳細に説明する。
図１〜図４は、それぞれ、本発明の医療器具の操作過程を順に示す縦断面図、図５は、本発明の医療器具が備えるカバー部材および両頭針を示す斜視図、図６は、図５に示すカバー部材および両頭針の縦断面斜視図である。なお、以下では、説明の都合上、図１〜図４中の右側を「基端」、左側を「先端」と言い、図５および図６中の下側を「基端」、上側を「先端」と言う。【００１９】
図１〜図４に示す医療器具１０は、液体注入具であるプレフィルドシリンジ（以下単に「シリンジ」という）２０と、シリンジ２０の口部２０１に装着される両頭針組立体１とで構成されている。以下、各部の構成について説明する。【００２０】
シリンジ２０は、有底筒状をなすシリンジ外筒２０２を有している。このシリンジ外筒２０２内には、液体Ｑが予め充填されている。【００２１】
また、シリンジ外筒２０２の底部（先端部）２０３には、管状の口部２０１が先端方向に向かって突出形成されている。この口部２０１を液体Ｑが通過することができる。
液体Ｑとしては、特に限定されず、各種薬液を用いることができる。【００２２】
図１〜図３に示す両頭針組立体１は、両頭針２と、両頭針２を支持する支持部材３と、両頭針２を覆うカバー部材４とを備えている。両頭針組立体１は、カバー部材４、両頭針２、支持部材３を、先端側からこの順に重ねて組み立てられたものとなっている（図１参照）。【００２３】
両頭針２は、針管５と、針管５の長手方向の途中を支持するハブ６とを有している。
針管５は、先端に鋭利な先端針先（先端側の針先）５１と、基端に鋭利な基端針先（基端側の針先）５２とを有している。両頭針組立体１では、図１に示す使用前の初期状態で、先端針先５１がカバー部材４に覆われ、基端針先５２が、後述する支持部材３の刺通部８に対し未刺通状態となっている。また、図３、図４に示す使用可能状態で、カバー部材４を取り外して先端針先５１が露出し、基端針先５２が支持部材３の刺通部８を刺通した状態となる。【００２４】
なお、針管５の構成材料としては、特に限定されないが、例えば、ステンレス鋼等の各種金属材料が挙げられる。【００２５】
図１に示すように、ハブ６は、有底筒状をなす部材で構成されている。ハブ６の底部６１には、先端方向に向かって突出した管状の支持部６２が形成されている。この支持部６２を針管５が挿通して、嵌合することにより、当該針管５を支持、固定することができる。【００２６】
図５、図６に示すように、ハブ６の側壁６３は、その基端側の部分が複数枚（本実施形態では４枚）の小片６４と、隣接する小片６４の基端部同士を連結する連結部６５とで構成されている。【００２７】
各小片６４は、それぞれ、ハブ６の軸回りに等角度間隔に配置されている。また、各小片６４は、それぞれ、その先端６４１が側壁６３の先端側の部分に片持支持されている。さらに、各小片６４には、それぞれ、その基端６４２から途中にかけてスリット６４３が形成されている。これにより、各小片６４は、それぞれ、その先端６４１を固定端として弾性変形することができる（図１〜図４参照）。なお、各小片６４は、それぞれ、図示の構成ではスリット６４３が形成されたものとなっているが、これに限定されず、スリット６４３が省略されたものであってもよい。この場合、連結部６５を省略することができる。また、その他、連結部６５に連結された小片６４と、連結部６５に連結されていない小片６４とをハブ６の軸回りに交互に配置したものとすることもできる。【００２８】
各連結部６５は、それぞれ、アーチ状をなし、その内周部に位置決め用突部６６が突出形成されている。この位置決め用突部６６は、後述する位置決め手段の一部として機能する部分である。位置決め用突部６６は、小片６４が弾性変形することにより、図１〜図４中の上下方向に変位することができる。【００２９】
なお、ハブ６の構成材料としては、特に限定されないが、例えば、ポリエチレン、ポリプロピレンのような各種樹脂が挙げられる。【００３０】
図１〜図４に示すように、このような構成の両頭針２は、支持部材３に支持されている。支持部材３は、両頭針２をその軸方向に沿って移動可能に支持することができ、シリンジ２０の口部２０１に装着される部材である。【００３１】
支持部材３は、有底筒状をなす部材本体７と、部材本体７の底部７１に設置された刺通部８とを有している。【００３２】
部材本体７は、両頭針２のハブ６の内側に同心的に配置され、シリンジ２０の口部２０１に装着されている。なお、部材本体７は、シリンジ２０の口部２０１に対し固定されているのが好ましい。この固定方法としては、特に限定されず、例えば、嵌合、接着（接着剤や溶媒による接着）による方法、融着（熱融着、高周波融着、超音波融着等）による方法等が挙げられる。この場合、部材本体７のシリンジ２０に対する固定箇所としては、部材本体７の基端７２であるのが好ましい。【００３３】
図１に示すように、部材本体７の側壁７３には、初期状態で、両頭針２のハブ６の各位置決め用突部６６が係合する第１の係合部として機能する凹部７３１が形成されている。凹部７３１は、部材本体７の側壁７３の周方向に沿って形成されたリング状をなしている。これにより、各位置決め用突部６６が一括して凹部７３１に係合することができる。そして、この係合により、両頭針２は、初期状態での支持部材３に対する軸方向の位置が規定され、よって、不本意な移動が防止される。【００３４】
また、図３に示すように、使用可能状態では、両頭針２の各位置決め用突部６６が、部材本体７の凹部７３１よりも基端側の部分である基端７２に係合する。この基端７２は、使用可能状態で各位置決め用突部６６が係合する第２の係合部として機能する。そして、各位置決め用突部６６が部材本体７の基端７２に係合することにより、両頭針２は、使用可能状態での支持部材３に対する軸方向の位置が規定され、よって、不本意な移動が防止される。【００３５】
このように、両頭針組立体１では、両頭針２の各位置決め用突部６６と、部材本体７の凹部７３１および基端７２とで、両頭針２の初期状態および使用可能状態のそれぞれでの支持部材３に対する軸方向の位置を規定する位置決め手段が構成されている。【００３６】
なお、位置決め手段の第２の係合部は、図３に示す構成では部材本体７の基端７２であるが、これに限定されず、例えば、部材本体７の側壁７３の、第１の係合部として機能する凹部７３１と基端７２との間に形成された凹部であってもよい。【００３７】
また、部材本体７の側壁７３には、凹部７３１と基端７２との間の部分に傾斜部７３２が形成されている。傾斜部７３２は、その傾斜角度が基端方向に向かって増大している。これにより、両頭針２の各位置決め用突部６６が部材本体７の基端７２に係合して、両頭針２の使用可能状態で位置が規定された状態が、解除されるのが確実に防止される。換言すれば、両頭針２が基端方向に移動した後、再度先端方向に戻ってしまうのを確実に防止することができる。【００３８】
部材本体７の底部７１には、貫通孔７１１が形成されている。そして、貫通孔７１１の基端側の部分は、その内径が拡径しており、刺通部８が設置される刺通部設置部７１２となっている。【００３９】
なお、部材本体７の構成材料としては、特に限定されず、例えば、前述したハブ６の構成材料を用いることができる。この場合、部材本体７の構成材料とハブ６の構成材料とは同じであってもよいし、異なっていてもよい。【００４０】
刺通部設置部７１２に設置されている刺通部８は、図１に示す初期状態（装着状態）では、シリンジ２０の口部２０１を液密に封止することができる。これにより、液体Ｑが口部２０１から不本意に漏出するのを確実に防止することができる。【００４１】
また、刺通部８は、図３に示す使用可能状態となるまでの間に、両頭針２の基端針先５２で刺通される。これにより、両頭針２の針管５とシリンジ２０のシリンジ外筒２０２とが連通し、よって、針管５を介して液体Ｑを排出することができる。【００４２】
このような刺通部８は、円板状をなす弾性体で構成されている。これにより、刺通部８は、初期状態でシリンジ２０の口部２０１を確実に封止することができるとともに、使用可能状態で両頭針２の基端針先５２により容易かつ確実に刺通される。【００４３】
なお、刺通部８を構成する弾性材料としては、特に限定されず、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等が挙げられる。【００４４】
前述したように、両頭針２は、支持部材３により、その軸方向に沿って移動可能に支持されている。そして、この両頭針２の移動は、当該両頭針２の外側に装着されたカバー部材４を把持して操作することにより行なわれる。【００４５】
カバー部材４は、有底筒状をなす部材で構成されている。
カバー部材４の底部４１には、先端方向に突出した管状をなす管状部４２が形成されている。管状部４２は、その先端４２１が閉塞しており、両頭針２の針管５の先端針先５１を覆うことができる（図１、図６参照）。これにより、先端針先５１が露出するのが防止され、よって、先端針先５１による誤穿刺を確実に防止することができる。【００４６】
図５、図６に示すように、カバー部材４の側壁は、複数枚（本実施形態では４枚）の小片４３と、隣接する小片４３の基端部同士を連結する連結部４４とで構成されている。【００４７】
各小片４３は、それぞれ、カバー部材４の軸回りに等角度間隔に配置されている。また、各小片４３は、それぞれ、その先端４３１がカバー部材４の底部４１に片持支持されている。さらに、各小片４３には、それぞれ、その基端４３２から途中にかけてスリット４３３が形成されている。これにより、各小片４３は、それぞれ、その先端４３１を固定端として弾性変形することができる（図１〜図３参照）。なお、各小片４３は、それぞれ、図示の構成ではスリット４３３が形成されたものとなっているが、これに限定されず、スリット４３３が省略されたものであってもよい。この場合、連結部４４を省略することができる。また、その他、連結部４４に連結された小片４３と、連結部４４に連結されていない小片４３とをカバー部材４の軸回りに交互に配置したものとすることもできる。【００４８】
各連結部４４は、それぞれ、アーチ状をなし、その内周部に、両頭針２に対し固定される固定部として機能する固定用突部４５が突出形成されている。この固定用突部４５は、小片４３が弾性変形することにより、図１〜図３中の上下方向に変位することができる。【００４９】
図１に示すように、初期状態では、各固定用突部４５は、それぞれ、両頭針２のハブ６の側壁６３の基端６３１に係合することができる。これにより、カバー部材４は、両頭針２に対し固定されることとなり、当該両頭針２から離脱するのが確実に防止される。また、この状態では、カバー部材４を両頭針２ごとその軸方向に沿って移動操作することもできる。【００５０】
そして、図３に示すように、初期状態からカバー部材４を基端方向に操作して使用可能状態となると、各固定用突部４５は、それぞれ、シリンジ２０の外周部２０４に外側に向かって押圧されて、両頭針２のハブ６の基端６３１から離間する。これにより、各固定用突部４５とハブ６の基端６３１との係合が解除され、よって、カバー部材４を両頭針２から離脱させることができる。【００５１】
また、各固定用突部４５の基端部には、それぞれ、傾斜部４５１が形成されている。傾斜部４５１は、固定用突部４５の高さが基端方向に向かって漸減した、すなわち、内側に向かって傾斜した部分である。前述したように固定用突部４５をシリンジ２０の外周部２０４が押圧する際には、当該外周部２０４が傾斜部４５１を押し上げることができ（図２参照）、よって、その押圧が容易になされる。【００５２】
図６（図１〜図３についても同様）に示すように、各固定用突部４５は、それぞれ、両頭針２の各位置決め用突部６６と、その軸回りで同じ位置に配置されているのが好ましい。【００５３】
カバー部材４の構成材料としては、特に限定されず、例えば、前述したハブ６の構成材料を用いることができる。この場合、カバー部材４の構成材料とハブ６の構成材料とは同じであってもよいし、異なっていてもよい。【００５４】
次に、両頭針組立体１の一連の操作方法および各操作での状態について、図１〜図４を参照しつつ説明する。【００５５】
［１］  図１に示すように、両頭針組立体１は、シリンジ２０の口部２０１に予め装着されている。【００５６】
前述したように、この初期状態では、両頭針２は、カバー部材４が固定されており、当該カバー部材４で針管５の先端針先５１が覆われている。また、初期状態では、両頭針２は、ハブ６の各位置決め用突部６６がそれぞれ支持部材３の凹部７３１に係合しており、その位置で位置決めがなされている。さらに、ここでの両頭針２は、針管５の基端針先５２が支持部材３の刺通部８に対し未刺通状態となっている。これにより、カバー部材４を操作するまでは、前記未刺通状態を確実に維持することができる。【００５７】
［２］  次に、図１に示す状態からカバー部材４を把持して基端方向に移動操作すると、当該カバー部材４とともに両頭針２も基端方向に移動する（図２参照）。その際、両頭針２の各位置決め用突部６６は、それぞれ、支持部材３の凹部７３１から離脱して、傾斜部７３２を登っていく。【００５８】
また、図２に示すように、この移動途中では、両頭針２の針管５の基端針先５２が支持部材３の刺通部８を刺通している最中である（または刺通し始めている）が、カバー部材４の両頭針２に対する固定はまだ解除されていない。これにより、両頭針２の針管５が刺通部８を完全に刺通しきる（図３に示す状態）までは、カバー部材４の基端方向への操作を途中でやめて、当該カバー部材４を先端方向へ戻す操作を行った場合は、カバー部材４が両頭針２から離脱するのが防止される。このように、両頭針組立体１では、両頭針２の針管５が刺通部８を完全に刺通して、針管５とシリンジ２０とが連通するのは、カバー部材４の両頭針２に対する固定の解除よりも早いタイミング（またはそれと同じタイミング）でなされる。なお、針管５の刺通により刺通部８に形成された孔は、刺通部８が弾性材料で構成されているため、自己閉塞性を有するものとなっている。このため、カバー部材４を基端方向へ戻す操作を行った場合であっても、その操作により刺通部８から針管５が抜去されると前記孔が閉塞することとなり、シリンジ２０の口部２０１の液密性が維持される。【００５９】
［３］  図２に示す状態からカバー部材４をさらに基端方向に移動操作する使用可能状態となる（図３参照）。この使用可能状態では、カバー部材４の各固定用突部４５がそれぞれシリンジ２０の外周部２０４に乗り上げて、当該外周部２０４で外側に向かって押圧される。これにより、各固定用突部４５がそれぞれ両頭針２のハブ６の基端６３１から離間して外れ、カバー部材４の両頭針２に対する固定が解除される。この解除により、カバー部材４を両頭針２から離脱することができる。【００６０】
また、両頭針２は、ハブ６の各位置決め用突部６６がそれぞれ支持部材３の傾斜部７３２を乗り越えて、基端７２に係合する。これにより、両頭針２の位置決めがなされ、よって、カバー部材４の離脱操作をした際に、カバー部材４とともに両頭針２が先端方向に引張られて、シリンジ２０に対し離脱するのを確実に防止することができる。【００６１】
また、前述したように、使用可能状態では、両頭針２の針管５は、シリンジ２０と連通している。【００６２】
［４］  次に、図４に示すように、両頭針組立体１をカバー部材４が取り外された状態とし、シリンジ２０のプランジャ（図示せず）を操作して、液体Ｑの注入を行うことができる。【００６３】
以上のような構成の両頭針組立体１では、両頭針２を覆っているカバー部材４が当該両頭針２から不本意に離脱する、すなわち、両頭針２の針管５が刺通部８を刺通して、針管５とシリンジ２０とが連通する以前に離脱するのを確実に防止することができる。【００６４】
以上、本発明の医療器具を図示の実施形態について説明したが、本発明は、これに限定されるものではなく、医療器具を構成する各部は、同様の機能を発揮し得る任意の構成のものと置換することができる。また、任意の構成物が付加されていてもよい。【００６５】
また、液体注入具としては、前記実施形態ではシリンジを一例としたが、これに限定されず、例えば、輸液バッグ、チューブの一端部に装着されたコネクタ等が挙げられる。【００６６】
また、位置決め手段は、前記実施形態では位置決め用突部が両頭針のハブに設けられ、第１の係合部および第２の係合が支持部材の部材本体に設けられた構成となっているが、これに限定されず、支持部材の部材本体に位置決め用突部が設けられ、両頭針のハブに第１の係合部および第２の係合部が設けられた構成となっていてもよい。
【産業上の利用可能性】
【００６７】
本発明の医療器具は、先端部に液体が通過する口部を有する液体注入具と、該液体注入具の前記口部に装着される両頭針組立体とを備える医療器具であって、前記両頭針組立体は、両端にそれぞれ鋭利な針先を有する針管と、該針管を支持するハブとを有する両頭針と、前記口部に装着され、その装着された状態で前記口部を液密に封止し、前記針管の基端側の前記針先で刺通可能な刺通部を有し、前記両頭針をその軸方向に沿って移動可能に支持する支持部材と、前記両頭針に対し固定される固定部を有し、該固定部が固定された状態で前記針管の先端側の前記針先を覆うとともに、前記両頭針をその軸方向に沿って移動操作するカバー部材とを備え、初期状態では、前記両頭針は、前記針管の先端側の前記針先が前記カバー部材に覆われ、前記針管の基端側の前記針先が前記刺通部に対し未刺通状態となっており、前記初期状態から前記カバー部材を前記両頭針ごと基端方向に移動操作した使用可能状態になるまでの間に、前記両頭針は、前記針管の基端側の前記針先が前記刺通部を刺通して、前記針管と前記液体注入具とが連通し、前記カバー部材は、前記固定部の前記両頭針に対する固定が解除され、該両頭針からの離脱が可能となる。そのため、両頭針を覆っているカバー部材が当該両頭針から不本意に離脱する、すなわち、両頭針の針管が、液体注入具の口部に装着された支持部材の刺通部を刺通して、針管と液体注入具とが連通する以前に離脱するのを確実に防止することができる。これにより、液体注入具が不本意に使用可能な状態となるのを確実に防止することができ、よって、液体注入具を無駄に使用してしまったり、破棄せざるを得ないという問題を解消することができる。従って、本発明の医療器具は、産業上の利用可能性を有する。
【図１】
2011108575.tif 000003
【図２】
2011108575.tif 000004
【図３】
2011108575.tif 000005
【図４】
2011108575.tif 000006
【図５】
2011108575.tif 000007
【図６】
2011108575.tif 000008
【国際調査報告】
2011108575.tif 000009
2011108575.tif 000010
2011108575.tif 000011
2011108575.tif 000012
2011108575.tif 000013